【事件の表示】
　上記当事者間の登録第４１３９１６６号商標の登録取消審判事件について、次のとおり審決する。
【結　論】
　本件審判の請求は、成り立たない。
　審判費用は、請求人の負担とする。
【理　由】
１　本件商標
　本件登録第４１３９１６６号商標（以下「本件商標」という。）は、別掲のとおりの構成からなり、平成８年３月２９日に登録出願、第４１類「技芸・スポーツ又は知識の教授，セミナーの企画・運営又は開催，植物の供覧，図書及び記録の供覧，美術品の展示，映画・演芸・演劇又は音楽の演奏の興行の企画又は運営，映画の上映，演芸の上演，演劇の上演，音楽の演奏，ゴルフの興行の企画・運営又は開催，野球の興行の企画・運営又は開催，サッカー興行の企画・運営又は開催，プールその他の運動施設の提供，ウォータースライダーその他の娯楽施設の提供，映画・演芸・演劇・音楽又は教育研修のための施設の提供，興行場の座席の手配，スキー用具・スキンダイビング用具・健康増進の為のトレーニング機械器具その他の運動用具の貸与，遊戯用具・遊戯場機械器具・遊園地用機械器具の貸与，図書の貸与，レコード又は録音済み磁気テープ・磁気ディスクの貸与，録画済み磁気テープ・磁気ディスクの貸与」を指定役務として、同１０年４月２４日に設定登録され、その後、同２０年４月８日に商標権の存続期間の更新登録がされたものである。
　そして、本件審判の請求の登録は、平成２５年２月１９日にされたものである。
　
２　請求人の主張
　請求人は、「本件商標の指定役務中の『プールその他の運動施設の提供』についての登録を取り消す。審判費用は被請求人の負担とする。」との審決を求めると申し立て、その理由として、「本件商標は、その指定役務中、上記役務について、継続して３年以上日本国内において、商標権者、専用使用権者又は通常使用権者のいずれによっても使用されていないから、その登録は、商標法第５０条第１項の規定により取り消されるべきである。」旨述べ、証拠方法として、甲第１号証を提出した。
　
３　被請求人の答弁
　被請求人は、結論同旨の審決を求めると答弁し、その理由を要旨次のように述べ、証拠方法として、乙第１号証ないし乙第１７号証（乙第６号証は、欠号。）を提出した。
（１）使用の事実
　本件商標は、以下のとおり、その通常使用権者により、本件審判の請求に係る指定役務「プールその他の運動施設の提供」について、その請求の登録の日である平成２５年２月１５日（審決注：平成２５年２月１９日の誤記と認められる。）前３年以内に、日本国内において使用されていた。
ア　商標権者は、北塩原村温泉健康増進施設「ラビスパ裏磐梯」（以下「本件施設」という。）の指定管理者たる株式会社ラビスパ（以下「ラビスパ社」という。）と、平成２２年４月１日から同２５年３月３１日まで、本件施設に関し、「北塩原村温泉健康増進施設『ラビスパ裏磐梯』管理運営協定書」による協定を締結した（乙第１号証ないし乙第３号証。以下「本件協定」という。）。本件協定には、本件商標の取扱いについての記載はないが、その第５条「管理運営業務」に「施設利用の受付、利用許可」、「施設利用料金の徴収」、「宣伝広告、案内」、「送迎用バス運行」その他の事項が包括的に記載されていることから、本件商標についても通常使用権の許諾がされていたことが、社会通念上明らかであり、ラビスパ社は、本件商標の通常使用権者と認められる。
イ　本件施設は、北塩原村大字大塩字桜峠８６６４番地５に所在し（乙第１号証ないし乙第４号証）、各種のプール施設を有している（乙第５号証）。
ウ　本件施設の入口を示すロードサインには、本件商標とともに「温泉健康増進施設」、「ラビスパ裏磐梯」及び「プール・バーデ・サウナ・温泉」の各文字が記載され、その上部には、「入口」の文字及び矢印がある（乙第７号証）。このロードサインは、平成２４年６月２６日に製作・設置した株式会社ライト・エージェンシー（以下「ライト・エージェンシー社」という。）により写真撮影されており（乙第８号証）、その撮影日後の同年７月３１日に、同社から通常使用権者へ請求書が発行された（乙第９号証）。
　よって、本件商標を表示したロードサインが、平成２４年６月に存在していたことは明らかであり、また、このロードサインは、本件施設の入口を示す案内板として機能しており、「プール・バーデ・サウナ・温泉」の各文字の併記から、プール施設について、本件施設の所在を示す案内板として、あるいは、宣伝広告媒体として機能していると認められ、役務の提供の用に供する物（案内板・ロードサイン）に標章を付したものを役務の提供のために展示する行為（商標法第２条第３項第５号）又は役務に関する広告に標章を付して展示する行為（同項第８号）に該当し、「プールの提供」についての本件商標の使用に該当すると認められる。
　なお、ロードサインに付された本件商標は、彩色されているが（乙第７号証）、色彩を無視すれば、その構成態様は、登録商標と完全に同一であり、また、その色彩が、本件商標の出所表示機能等の自他役務識別機能に影響を与えているとも認められず、社会通念上同一の商標と認められる。
エ　通常使用権者は、本件協定に基づき、送迎用バスの運行を行っている（乙第１０号証）。送迎バスの前面及び側面には、本件商標と社会通念上同一と認められる標章が付されており（乙第１０号証及び乙第１１号証）、この送迎バスのうち、少なくとも１台は、平成２４年７月１９日に車検を受け、現存していたことが明らかである（乙第１１号証）。また、この送迎バスは、本件施設において各種役務の提供を受ける者の利用に供する物と認められる。
　よって、通常使用権者は、「プールの提供」に当たりその提供を受ける者の利用に供する物に標章を付する行為（商標法第２条第３項第３号）を行い、本件商標を使用していた。
オ　「大人全館入場券」（乙第１２号証及び乙第１３号証）及び「小人全館入場券」（乙第１４号証及び乙第１５号証）には、本件商標と社会通念上同一と認められる標章が付されており、「本券の有効期限　平成２４年６月３０日迄」と印刷されたほかに、最初の１枚（乙第１２号証の上段に位置するもの）には、手書きで「６／３０」、「大２」及び「小４」の文字が記されている。また、「大人全館入場券」には「００１３２」及び「００１３３」の連番（乙第１３号証）が、「小人全館入場券」には「０００６９」から「０００７２」までの連番（乙第１５号証）が、それぞれスタンプ印字されている。
　よって、平成２４年６月３０日に、大人２名及び小人４名が、本券を利用して本件施設に入場したことが明らかである。また、「本券１枚に付き（中略）１名様１回限りで温泉・プールを御利用いただけます。」との記載から、本券は、プールの提供に際し利用されたことが明らかである。
　同様に、「ペア招待券」及び「ファミリーバイキング招待券」（乙第１６号証及び乙第１７号証）には、本件商標と社会通念上同一と認められる標章が付され、「本券の有効期限」の日付及び手書きで記された各数字・文字から、平成２４年１１月１１日に、大人２名が「本券１枚に付き、２名様１回限りで温泉・プールを御利用いただけます。」との「ペア招待券」を、同年８月１２日に、大人２名及び小人１名が「本券１枚に付き、大人２名様、お子様２名様１回限りで温泉＆プール、お食事（バイキング）を御利用いただけます。」との「ファミリーバイキング招待券」を、それぞれ利用し、「プールの提供」を受けたことが明らかである。
　上記の各種入場券、招待券は、役務の提供に当たりその提供を受ける者の利用に供する物（譲渡し、又は貸し渡す物）に標章を付する行為（商標法第２条第３項第３号）に該当すると認められ、「プールの提供」に関して、本件商標が使用されたことは明らかである。
（２）むすび
　以上のとおり、被請求人は、本件審判の請求の登録前３年以内に日本国内において、通常使用権者がその請求に係る指定役務「プールその他の運動施設の提供」に本件商標の使用をしていることを証明したものであり、本件商標の登録は取り消されるべきではない。
　
４　当審の判断
（１）請求人の提出に係る甲第１号証並びに被請求人の提出に係る乙第１号証ないし乙第３号証，乙第５号証及び乙第７号証ないし乙第９号証によれば、以下の事実を認めることができる。
ア　本件商標の商標権者は北塩原村である（甲第１号証）ところ、その村長とラビスパ社の代表取締役は、平成２２年４月１日、同２３年４月１日及び同２４年４月１日に、本件施設に関し、ラビスパ社がその管理運営業務（「施設利用の受付、利用許可」、「施設利用料金の徴収」、「宣伝広告、案内」、「施設全般の維持管理」など）を行うことについての本件協定をそれぞれ締結した。ラビスパ社の管理運営業務の対象となる本件施設は、北塩原村大字大塩字桜峠８６６４番地５に所在し、本件協定の期間は、通算で平成２２年４月１日から同２５年３月３１日までである（乙第１号証ないし乙第３号証）。
イ　本件施設に係るウェブサイトの情報には、「プールゾーン」の見出しの下、「ウォータースライダーは身長１２０ｃｍ以上が対象です。ＧＷ・夏休みは毎日運行いたします。Ｈ２３．７．１９．２０はお休みです。」との記載がある（乙第５号証）。
ウ　本件施設の入口を示す看板（写真）には、「温泉健康増進施設／ラビスパ裏磐梯／プール・バーデ・サウナ・温泉」の文字と、色彩を同一のものとすれば本件商標と同一の商標が表示されている（乙第７号証）。
エ　ライト・エージェンシー社の郡山支社営業部に勤める者からラビスパ社の総支配人にあてた２０１３年４月４日送信の電子メールには、「先程の写真の撮影日時」の件名の下、写真の撮影日時が２０１２年（平成２４年）６月２６日である旨の記載がある（乙第８号証）。
オ　ライト・エージェンシー社からラビスパ社にあてた平成２４年７月３１日付け「御請求書」には、請求金額のほか、「ロードサイン製作費」の件名の下、「看板デザイン・設置工事」に係る各項目の数量、金額などの記載がある（乙第９号証）。
（２）上記（１）で認定した事実と被請求人の主張とを総合すると、本件商標の使用につき、以下のとおり認めることができる。
ア　本件商標の商標権者は、平成２２年４月１日から同２５年３月３１日までの間、ラビスパ社を相手方として、同社が本件施設の利用の受付、利用料金の徴収、宣伝広告などの管理運営業務をすることにつき、本件協定を締結し、ラビスパ社は、本件協定に基づき、本件施設の管理運営業務を行ったことが認められるから、本件協定において、本件商標の使用に関する定めが明示されていないとしても、本件商標の商標権者は、上記期間中、ラビスパ社に対し、本件商標を使用することについて、黙示の許諾を与えていたと認めるのが相当である。
　したがって、ラビスパ社は、本件商標の通常使用権者と認められる。
イ　ラビスパ社は、本件施設の管理運営業務を行うに当たり、同施設の入口を示す看板に、本件施設の名称とともに、色彩を同一のものとすれば本件商標と同一の商標を表示し、かつ、「プール・バーデ・サウナ・温泉」の文字を表示したと認められるところ、該看板は、遅くとも平成２４年６月２６日には立てられていたものと推認される。
　また、本件施設には、「ウォータースライダー」を含むプールゾーンが設置されているところ、該プールゾーンは、少なくとも平成２３年のゴールデンウィーク期間（４月２９日ないし５月８日）に運営されていたものと推認される。
ウ　以上によれば、本件商標の通常使用権であるラビスパ社は、本件審判の請求の登録前３年以内である平成２３年４月２９日ないし同年５月８日までの間、本件施設においてプールの提供をしており、その後、同２４年６月２６日には、本件施設においてプ−ルの提供を受けることができる旨の表示とともに、本件商標を付した同施設の入口を示す看板を立てていたから、その行為は、「商品若しくは役務に関する広告・・に標章を付して展示・・する行為」（商標法第２条第３項第８号）に該当するものと認められる。
　そして、上記ラビスパ社の提供に係る役務「プールの提供」は、本件審判の請求に係る指定役務に含まれる役務である。
（３）まとめ
　上記のとおり、被請求人は、本件審判の請求の登録前３年以内に日本国内において、通常使用権者がその請求に係る指定役務中の「プールの提供」について、本件商標を使用していたことを証明したものということができる。
　したがって、本件商標の登録は、商標法第５０条の規定により、取り消すことはできない。
　よって、結論のとおり審決する。